【手続補正書】
【提出日】平成23年3月18日(2011.3.18)
【手続補正１】
【補正対象書類名】特許請求の範囲
【補正対象項目名】全文
【補正方法】変更
【補正の内容】
【特許請求の範囲】
【請求項１】
複数の培養容器を収容可能な収納部を有するとともに、内部を所定の環境条件に維持可能な恒温室と、前記恒温室内において前記培養容器内の試料の状態を撮像する撮像部を有する観察ユニットと、前記観察ユニットに前記培養容器を移動させる搬送機構と、前記撮像部および前記搬送機構を制御して前記培養容器の観察シーケンスを自動的に実行する制御部とを備えたインキュベータにおいて、
前記複数の培養容器に対して、前記観察ユニットの観察動作の動作パラメータを夫々設定し、指定された培養容器に対して観察スケジュールを設定する設定部と、
前記設定部によって設定された前記各培養容器の観察スケジュールに応じた、前記搬送機構の搬送時間および前記観察ユニットの観察動作の所要時間を含む観察所要時間を演算する演算部と、
前記設定部によって第１の前記培養容器の第１観察スケジュールが設定された後に、第２の前記培養容器の第２観察スケジュールに応じた前記観察所要時間が前記第１観察スケジュールに応じた前記観察所要時間と重複せずに実行できる登録可能な時間帯を、前記演算部の演算結果に基づき抽出し、表示出力するスケジュール管理部と、を備えたことを特徴とするインキュベータ。
【請求項２】
請求項１に記載のインキュベータにおいて、
前記培養容器の搬送時間に関する第１データと、前記撮像部の撮像動作の所要時間に関する第２データとを記録した第１メモリと、
前記観察シーケンスの開始時刻および観察所要時間を示す前記観察スケジュールを、各々の前記培養容器と対応付けて登録したスケジュールデータを記録する第２メモリとを備え、
前記設定部は、前記観察スケジュールを登録する指定培養容器を選択する第１の入力と、前記観察シーケンスでの前記指定培養容器の撮像条件を指定する第２の入力と、前記指定培養容器のタイムラプス観察の条件およびタイムラプス観察の開始時期を規定する第３の入力とをユーザーから受け付ける入力部を含み、
前記演算部は、前記撮像条件に応じて、前記第１データおよび前記第２データから前記指定培養容器の観察所要時間を演算する、ことを特徴とするインキュベータ。
【請求項３】
請求項１または請求項２に記載のインキュベータにおいて、
前記スケジュール管理部は、ユーザーの入力に基づいて前記指定培養容器の前記観察スケジュールを前記スケジュールデータに登録するとともに、前記登録可能時間帯以外での前記観察スケジュールの登録を不能化することを特徴とするインキュベータ。
【請求項４】
請求項３に記載のインキュベータにおいて、
前記演算部は、前記観察スケジュールの登録後に前記撮像条件の変更入力があったときに前記指定培養容器の観察所要時間を再び演算し、
前記スケジュール管理部は、前記観察所要時間の増加によって前記観察スケジュールの重複が発生するときに、ユーザーに対して注意を促す報知出力を行うことを特徴とするインキュベータ。
【請求項５】
請求項１または請求項２に記載のインキュベータにおいて、
前記搬送機構は、ユーザーの入力に応じて前記培養容器を前記恒温室から搬出し、
前記スケジュール管理部は、搬出対象となる前記培養容器の前記観察シーケンスが実行されているときに、ユーザーに注意を促す報知出力を前記搬出に先立って行うことを特徴とするインキュベータ。
【請求項６】
請求項２に記載のインキュベータにおいて、
外部のコンピュータと通信可能な通信部をさらに備え、
前記通信部は、前記第１の入力および前記第２の入力を前記コンピュータから受信するとともに、前記登録可能時間帯を示す表示出力を前記コンピュータに送信することを特徴とするインキュベータ。
【請求項７】
請求項１または請求項２に記載のインキュベータにおいて、
前記設定部は、前記指定培養容器のタイムラプス観察の条件を規定する第３の入力をさらに受け付け、
前記スケジュール管理部は、前記タイムラプス観察の条件に応じて各々の観察時期が異なる前記指定培養容器の前記観察スケジュールを複数設定するとともに、前記タイムラプス観察による各々の前記観察スケジュールが既登録の前記観察スケジュールと重複せずに実行できる登録可能時間帯を抽出することを特徴とするインキュベータ。
【請求項８】
請求項７に記載のインキュベータにおいて、
前記スケジュール管理部は、前記タイムラプス観察での前記登録可能時間帯として、前記タイムラプス観察の初回分の時間帯を表示出力することを特徴とするインキュベータ。
【請求項９】
請求項７に記載のインキュベータにおいて、
前記スケジュール管理部は、前記登録可能時間帯を抽出できないときに、前記登録可能時間帯を抽出できるタイムラプス観察の条件の提示出力および警告出力の少なくとも一方を行うことを特徴とするインキュベータ。
【請求項１０】
請求項７に記載のインキュベータにおいて、
前記スケジュール管理部は、前記登録可能時間帯を抽出できないときに、前記タイムラプス観察による前記観察スケジュールのいずれかをシフトさせることを特徴とするインキュベータ。
【請求項１１】
複数の培養容器を収容可能な収納部を有するとともに、内部を所定の環境条件に維持可能な恒温室と、前記恒温室内において前記培養容器内の試料の状態を撮像する撮像部を有する観察ユニットと、前記観察ユニットに前記培養容器を移動させる搬送機構と、前記撮像部および前記搬送機構を制御して前記培養容器の観察シーケンスを自動的に実行する制御部とを備えたインキュベータのスケジュール管理方法において、
前記複数の培養容器に対して、前記観察ユニットの観察動作の動作パラメータを夫々設定し、各培養容器に対して観察スケジュールを設定する設定ステップと、
前記設定ステップによって設定された前記各培養容器の観察スケジュールに応じた、前記搬送機構の搬送時間および前記観察ユニットの観察動作の所要時間を含む観察所要時間を演算する演算ステップと、
前記設定ステップによって第１の前記培養容器の第１観察スケジュールが設定された後に、第２の前記培養容器の第２観察スケジュールが前記第１観察スケジュールと重複せずに実行できる登録可能な時間帯を、前記演算部の演算結果に基づき抽出し、表示出力する管理ステップと、
を備えたことを特徴とするインキュベータのスケジュール管理方法。
【手続補正２】
【補正対象書類名】明細書
【補正対象項目名】発明の名称
【補正方法】変更
【補正の内容】
【発明の名称】インキュベータおよびインキュベータのスケジュール管理方法
【手続補正３】
【補正対象書類名】明細書
【補正対象項目名】０００１
【補正方法】変更
【補正の内容】
【０００１】
本発明は、インキュベータおよびインキュベータのスケジュール管理方法に関する。
【手続補正４】
【補正対象書類名】明細書
【補正対象項目名】０００６
【補正方法】変更
【補正の内容】
【０００６】
本発明の一態様であるインキュベータは、複数の培養容器を収容可能な収納部を有するとともに、内部を所定の環境条件に維持可能な恒温室と、恒温室内において培養容器内の試料の状態を撮像する撮像部を有する観察ユニットと、観察ユニットに培養容器を移動させる搬送機構と、撮像部および搬送機構を制御して培養容器の観察シーケンスを自動的に実行する制御部とを備える。また、インキュベータは、複数の培養容器に対して、観察ユニットの観察動作の動作パラメータを夫々設定し、指定された培養容器に対して観察スケジュールを設定する設定部と、設定部によって設定された各培養容器の観察スケジュールに応じた、搬送機構の搬送時間および観察ユニットの観察動作の所要時間を含む観察所要時間を演算する演算部と、設定部によって第１の培養容器の第１観察スケジュールが設定された後に、第２の前記培養容器の第２観察スケジュールに応じた観察所要時間が第１観察スケジュールに応じた観察所要時間と重複せずに実行できる登録可能な時間帯を、演算部の演算結果に基づき抽出し、表示出力するスケジュール管理部と、を備える。
【手続補正５】
【補正対象書類名】明細書
【補正対象項目名】０００７
【補正方法】変更
【補正の内容】
【０００７】
本発明の他の態様であるインキュベータのスケジュール管理方法は、複数の培養容器を収容可能な収納部を有するとともに、内部を所定の環境条件に維持可能な恒温室と、恒温室内において培養容器内の試料の状態を撮像する撮像部を有する観察ユニットと、観察ユニットに培養容器を移動させる搬送機構と、撮像部および搬送機構を制御して培養容器の観察シーケンスを自動的に実行する制御部とを備えたインキュベータに適用される。このインキュベータのスケジュール管理方法は、複数の培養容器に対して、観察ユニットの観察動作の動作パラメータを夫々設定し、各培養容器に対して観察スケジュールを設定する設定ステップと、設定ステップによって設定された各培養容器の観察スケジュールに応じた、搬送機構の搬送時間および観察ユニットの観察動作の所要時間を含む観察所要時間を演算する演算ステップと、設定ステップによって第１の培養容器の第１観察スケジュールが設定された後に、第２の培養容器の第２観察スケジュールが第１観察スケジュールと重複せずに実行できる登録可能な時間帯を、演算部の演算結果に基づき抽出し、表示出力する管理ステップと、を備える。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】